(57)【要約】【課題】  アルカリ性薬剤の添加を行なう必要なくｐＨ調整をすることができ、しかも消毒殺菌を行なうこともできる閉鎖循環式養殖システムを提供する。【解決手段】  魚介類を飼育する飼育水槽１と、水を浄化する水浄化装置２との間で、飼育水槽１の海水を浄化しながら循環させるようにした閉鎖循環式養殖システムに関する。海水を電気分解する電解槽３を浄化装置２に接続して設ける。電解槽３内を隔膜４で仕切って陰極５が配置される陰極室６と陽極７が配置される陽極室８を形成すると共に、陰極室６でアルカリ性水を生成させ、陽極室８で酸性水を生成させる。そして陰極室６で生成されるアルカリ性水を飼育水槽１に添加する添加水路９を設ける。電解槽３に生成されるアルカリ性水を飼育水槽１に添加することによって海水のｐＨ調整を行なうことができると共に、生成される酸性水を利用して消毒殺菌を行なうことができる。【選択図】  図１
2005245326.tif 000002
【特許請求の範囲】
【請求項１】
魚介類を飼育する飼育水槽と、水を浄化する水浄化装置との間で、飼育水槽の海水を浄化しながら循環させるようにした閉鎖循環式養殖システムにおいて、海水を電気分解する電解槽を浄化装置に接続して設け、電解槽内を隔膜で仕切って陰極が配置される陰極室と陽極が配置される陽極室を形成すると共に、陰極室でアルカリ性水を生成し、陽極室で酸性水を生成させ、陰極室で生成されるアルカリ性水を飼育水槽に添加する添加水路を設けて成ることを特徴とする閉鎖循環式養殖システム。
【請求項２】
陽極室で生成される酸性水を貯溜して次亜塩素酸濃度を所定濃度まで低下させた後に、浄化装置に添加する酸性水貯溜槽を備えて成ることを特徴とする請求項１に記載の閉鎖循環式養殖システム。
【請求項３】
電解槽の陽極室と酸性水貯溜槽との間に、酸性水を各種用途に使用する手段を備える酸性水使用部を設けて成ることを特徴とする請求項１又は２に記載の閉鎖循環式養殖システム。
【請求項４】
飼育水槽の魚介類に給餌するタイミングに合わせて電解槽の陰極室からアルカリ水を飼育水槽に添加するアルカリ水添加制御装置を添加水路に備えて成ることを特徴とする請求項１乃至３のいずれかに記載の閉鎖循環式養殖システム。
【請求項５】
飼育水槽内の海水のｐＨを測定するｐＨ測定装置を備えると共に、ｐＨ測定装置で測定されたｐＨに応じて電解槽の陰極室からアルカリ水を飼育水槽に添加するアルカリ水添加制御装置を添加水路に備えて成ることを特徴とする請求項１乃至３のいずれかに記載の閉鎖循環式養殖システム。
【請求項６】
電解槽に通される海水の流量を制御する流量制御装置を備えて成ることを特徴とする請求項１乃至５のいずれかに記載の閉鎖循環式養殖システム。
【請求項７】
流量制御装置は陰極室に通される海水の流量と陽極室に通される海水の流量を個別に制御するように形成されていることを特徴とする請求項６に記載の閉鎖循環式養殖システム。
【請求項８】
電解槽の陰極と陽極に給電する給電装置を、陰極と陽極への給電電位を切り換え自在に形成して成ることを特徴とする請求項１乃至７のいずれかに記載の閉鎖循環式養殖システム。
【発明の詳細な説明】
【技術分野】
【０００１】
本発明は、陸上において、海水（人工海水を含む）を浄化しながら閉鎖系で循環させて、飼育水槽で魚介類を養殖したり一時的に蓄養したりするようにした閉鎖循環式養殖システムに関するものである。
【背景技術】
【０００２】
海水面から離れた陸上地点で、食用あるいは鑑賞用の魚介類を飼育する閉鎖式養殖システムが従来から検討されている。この閉鎖循環式養殖システムでは、飼育魚介類の排泄物や残餌等を飼育水槽から除去する処理を、周辺環境への排出希釈によることなく、システム内で行なう必要がある。このために、飼育水槽に水浄化装置を接続し、飼育水槽の海水を水浄化装置との間で循環させる間に、海水中の魚介類の排泄物や残餌等を除去して浄化することが行なわれている。
【０００３】
そして浄化装置は、海水中の固形物を取除く物理的ろ過部や、魚介類の排泄物であるアンモニアを硝化細菌などの微生物で硝化して除去する生物ろ過部などから形成されているのが一般的である（例えば特許文献１、特許文献２等参照）。
【特許文献１】特開昭６３−６３３２５号公報
【特許文献２】特開昭６４−１８１９３８号公報
【発明の開示】
【発明が解決しようとする課題】
【０００４】
上記のように水浄化装置で魚介類から排泄されるアンモニアを硝化して除去する場合、硝化によって硝酸が生成され、飼育水槽内の水のｐＨが魚介類の飼育に適さない範囲にまで低下するおそれがある。このために、特許文献１や特許文献２のものではｐＨ調整装置を用い、例えば炭酸水素ナトリウムや炭酸ナトリウムなどのアルカリ性薬剤を添加することによって、飼育水槽内の海水のｐＨを魚介類の飼育に適した範囲に調整する必要がある。
【０００５】
しかしこのようにアルカリ性薬剤を添加してｐＨ調整を行なう場合、薬品の添加によって魚介類に悪影響を与えるおそれがあり、また薬剤の消費によってランニングコストが高くなる等の問題を有するものであった。
【０００６】
本発明は上記の点に鑑みてなされたものであり、アルカリ性薬剤の添加を行なう必要なくｐＨ調整をすることができ、しかも消毒殺菌を行なうこともできる閉鎖循環式養殖システムを提供することを目的とするものである。
【課題を解決するための手段】
【０００７】
本発明の請求項１に係る閉鎖循環式養殖システムは、魚介類を飼育する飼育水槽１と、水を浄化する水浄化装置２との間で、飼育水槽１の海水を浄化しながら循環させるようにした閉鎖循環式養殖システムにおいて、海水を電気分解する電解槽３を浄化装置２に接続して設け、電解槽３内を隔膜４で仕切って陰極５が配置される陰極室６と陽極７が配置される陽極室８を形成すると共に、陰極室６でアルカリ性水を生成し、陽極室８で酸性水を生成させ、陰極室６で生成されるアルカリ性水を飼育水槽１に添加する添加水路９を設けて成ることを特徴とするものである。
【０００８】
この発明によれば、魚介類を飼育する海水を電気分解して電解槽３にアルカリ性水と酸性水とを生成させることができ、生成されるアルカリ性水を飼育水槽１に添加することによって、飼育水槽１内の海水のｐＨ低下を抑制することができるものであり、アルカリ性薬剤の添加を行なう必要なくｐＨ調整をすることができるものである。また海水を電気分解して生成される酸性水は次亜塩素酸を含んで、高い消毒殺菌性能を有しており、海水の殺菌や、その他各種の消毒殺菌の用途に用いることができるものである。
【０００９】
また請求項２の発明は、請求項１において、陽極室８で生成される酸性水を貯溜して次亜塩素酸濃度を所定濃度まで低下させた後に、浄化装置２に添加する酸性水貯溜槽１０を備えて成ることを特徴とするものである。
【００１０】
この発明によれば、酸性水に含まれる次亜塩素酸が魚毒作用を発揮しない程度にまで濃度を低下させた後に浄化装置２に添加することができ、魚介類に悪影響を与えることなく、酸性水で海水を消毒殺菌することができるものである。
【００１１】
また請求項３の発明は、請求項１又は２において、電解槽３の陽極室８と酸性水貯溜槽１０との間に、酸性水を各種用途に使用する手段を備える酸性水使用部１１を設けて成ることを特徴とするものである。
【００１２】
この発明によれば、電解槽３で生成される酸性水を、海水の消毒殺菌の他に、器具等の消毒殺菌や、作業者の靴の消毒殺菌などに利用することができるものである。
【００１３】
また請求項４の発明は、請求項１乃至３のいずれかにおいて、飼育水槽１の魚介類に給餌するタイミングに合わせて電解槽３の陰極室６からアルカリ水を飼育水槽１に添加するアルカリ水添加制御装置１２を添加水路９に備えて成ることを特徴とするものである。
【００１４】
この発明によれば、飼育水槽１の海水のｐＨは給餌の所定時間後に低下するが、このｐＨ低下に合わせてアルカリ水を添加してｐＨを上昇させるようにすることによって、効果的なｐＨ調整を行なうことができるものである。
【００１５】
また請求項５の発明は、請求項１乃至３のいずれかにおいて、飼育水槽１内の海水のｐＨを測定するｐＨ測定装置１３を備えると共に、ｐＨ測定装置１３で測定されたｐＨに応じて電解槽３の陰極室６からアルカリ水を飼育水槽１に添加するアルカリ水添加制御装置１２を添加水路９に備えて成ることを特徴とするものである。
【００１６】
この発明によれば、飼育水槽１の海水のｐＨの低下に合わせてアルカリ水を添加してｐＨを上昇させるようにすることができ、効果的なｐＨ調整を行なうことができる共に、飼育水槽１の海水のｐＨを魚介類の飼育に適した範囲に維持することができるものである。
【００１７】
また請求項６の発明は、請求項１乃至５のいずれかにおいて、水浄化装置１から電解槽３に供給される海水の流量を制御する流量制御装置１４を備えて成ることを特徴とするものである。
【００１８】
この発明によれば、電解槽３に供給される海水の流量を制御することによって、海水の電気分解で生成される酸性水の次亜塩素酸濃度を調整することができ、殺菌に必要な高濃度の酸性水を生成させることが可能になるものである。
【００１９】
また請求項７の発明は、請求項６において、流量制御装置１４は陰極室６に通される海水の流量と陽極室８に通される海水の流量を個別に制御するように形成されていることを特徴とするものである。
【００２０】
この発明によれば、陰極室６と陽極室８に供給する海水の流量を個別に制御して、陰極室６で生成されるアルカリ性水のアルカリ濃度と陽極室８で生成される酸性水の次亜鉛素酸濃度を個別に調整することができるものである。
【００２１】
また請求項８の発明は、請求項１乃至７のいずれかにおいて、電解槽３の陰極５と陽極７に給電する給電装置１６を、陰極５と陽極７への給電電位を切り換え自在に形成して成ることを特徴とするものである。
【００２２】
この発明によれば、陰極５と陽極７への給電電位を正負逆転させることによって、陰極５や陽極７に付着するスケールなどを剥離して除去することができ、陰極５や陽極７のクリーンナップを容易に行なうことができるものである。
【発明の効果】
【００２３】
本発明によれば、魚介類を飼育する海水を電気分解して電解槽３にアルカリ性水と酸性水とを生成させることができ、アルカリ性水を飼育水槽１に添加することによって、飼育水槽１内の水のｐＨ低下を抑制することができるものであり、アルカリ性薬剤の添加を行なう必要なくｐＨ調整をすることができるものである。また海水を電気分解して生成される酸性水は次亜塩素酸を含んで、高い消毒殺菌性能を有しており、海水の殺菌や、その他各種の消毒殺菌の用途に用いることができるものである。
【発明を実施するための最良の形態】
【００２４】
以下、本発明を実施するための最良の形態を説明する。
【００２５】
図１は本発明の実施の形態の一例を示すものであり、魚介類が飼育される飼育水槽１に往路と復路からなる循環水路２０によって水浄化装置２が接続してあり、循環ポンプ（不図示）などによって飼育水槽１内の海水を水浄化装置２との間で循環させるようにしてある。水浄化装置２は、海水中の固形分をろ過等によって除去する物理的ろ過部（不図示）や、海水中のアンモニア等を硝化菌などの微生物で分解除去する生物ろ過部（不図示）などを備えて形成してあり、飼育水槽１内の海水を水浄化装置２との間で循環させることによって、飼育水槽１内の海水を魚介類を飼育するのに適した水質に保って、閉鎖循環システムで魚介類の飼育を行なうことができるようにしてある。
【００２６】
この水浄化装置２には給水路１５を介して電解槽３が接続してある。電解槽３内は隔膜４を設けて陰極室６と陽極室８に仕切ってあり、陰極室６内には陰極５が、陽極室８内には陽極７が配置してあって、陰極５と陽極７を隔膜４を介して対向させてある。給水路１５は分岐して陰極室６と陽極室８の入口側にそれぞれ接続してあり、陰極室６の出口側には添加水路９が、陽極室８の出口側には導出水路２１がそれぞれ接続してある。給水路１５には電磁弁などで形成される制御弁３１が接続してあり、水浄化装置２から電解槽３への海水の供給を制御できるようにしてある。
【００２７】
ここで、図２に示すように、電解槽３内に複数枚の隔膜４を平行に設けて、陰極室６と陽極室８を複数ずつ交互に形成するようにするのが好ましく、各陰極室６と陽極室８にはそれぞれ陰極５と陽極７が配置してある。これらの陰極５と陽極７は、図示していないが給電装置１６に接続してあり、給電装置１６によって陰極５にマイナス電位が印加されると共に陽極７にプラス電位が印加されるようにしてある。
【００２８】
上記の添加水路９は飼育水槽１に接続してあり、この添加水路９には電磁弁などで形成される制御弁２３が接続してある。また上記の導出水路２１は酸性水貯溜槽１０に接続してあり、酸性水貯溜槽１０は酸性水添加水路２２によって水浄化装置２に接続してある。
【００２９】
上記のように形成されるシステムにあって、飼育水槽１内の海水中で魚介類の飼育を行なうものであり、飼育水槽１内の海水を水浄化装置２との間で循環させることによって、飼育水槽１内の海水を魚介類を飼育するのに適した水質に保つことができるようにしてある。そして水浄化装置２内の海水の一部は、給水路１５を通して電解槽３に供給され、電気分解される。ここで、海水は隔膜４を介して対向する陰極５と陽極７の間で電気分解されるので、アルカリイオン整水器と同様の原理で、陰極室６にアルカリ性水が生成され、陽極室８に酸性水が生成される。ここで、例えば陰極５と陽極７に直流電流を３〜３．５Ｖ、６Ａの条件で印加すると、陰極室６にｐＨ９．５程度のアルカリ水が、陽極室８にｐＨ４程度の酸性水が生成され、酸性水には陽極反応で生成される次亜塩素酸が２００ｐｐｍ程度の濃度で含有されている。
【００３０】
このように隔膜４を介して対向する陰極５と陽極７の間で海水を電気分解することにより陰極室６にアルカリ性水が生成されるので、アンモニアの硝化によってｐＨが低下する傾向のある飼育水槽１内に、添加水路９を通してアルカリ性水を添加することによって、飼育水槽１内の海水のｐＨを上昇させ、魚介類の飼育に適した範囲のｐＨに調整することができるものである。従って、アルカリ性薬剤を添加してｐＨ調整を行なうような必要がなくなり、薬品の添加によって魚介類に悪影響を与えるような問題や、薬剤の添加による高いランニングコストの問題がなくなるものである。特に、飼育水槽１に添加されるアルカリ性水は海水そのものであるので、飼育水槽１内の海水の成分を変化させることがなく、魚介類に弊害を及ぼすようなおそれは全くない。
【００３１】
また、電解槽３の陽極室８に生成された酸性水は導出水路２１を通過して酸性水貯溜槽１０に送られる。海水を電気分解して得られるこの酸性水には次亜塩素酸（ＣｌＯ−）が含まれており、消毒殺菌作用や漂白作用を有するが、次亜塩素酸は数百ｐｐｍ程度の高濃度で含まれているので、この酸性水をそのまま水浄化装置２に添加すると、高濃度の次亜塩素酸によって魚介類に魚毒作用を及ぼすおそれがある。このため、酸性水貯溜槽１０で酸性水の次亜塩素酸の濃度を低下させるようにする。酸性水貯溜槽１０内には図３に示すように、海水の流れ方向で曝気部２４と貯溜部２５が形成してあり、曝気部２４の底部にはブロア２６に接続された曝気パイプ２７が配置してある。そしてブロアから送風されたエアを曝気パイプ２７から曝気部２４内に噴出させて、曝気部２４内の酸性水（海水）を曝気することによって塩素除去を行ない、酸性水中の次亜塩素酸濃度を低下させることができるものである。時間的に余裕がないときなどには、貯溜部２５の酸性水にチオ硫酸ナトリウムなどの中和剤を添加して、次亜塩素酸濃度を低下させるようにしてもよい。このようにして、次亜塩素酸の濃度を魚毒作用のない０．０５ｐｐｍ以下に低下させた酸性水を貯溜部２５から酸性水添加水路２２を通して水浄化装置２に添加することによって、酸性水に低濃度ながら含まれている次亜塩素酸で海水を消毒殺菌することができるものであり、また海水を漂白して脱色することができるものである。
【００３２】
上記のように、電解槽３の陰極室６に生成されたアルカリ性水はｐＨ調整のために返送して再使用され、また電解槽３の陽極室８に生成された酸性水は消毒殺菌のために返送して再使用されるので、システム内の海水の量が大幅に減少することがなく、システムに海水を長期に亘って補充したり入れ替えたりする必要なく、システムを完全閉鎖系で運転することが可能になるものである。尚、酸性水貯溜槽１０から一部の酸性水を排出口２８から排出することも可能であり、この場合には、酸性水の次亜塩素酸の濃度を０．５ｐｐｍ以下に低下させた後に排出するようにするのが望ましい。
【００３３】
上記の図１の実施の形態では、電解槽３の陽極室８と酸性水貯溜槽１０との間において、導出水路２１の途中に酸性水使用部１１を設けるようにしてある。酸性水使用部１１は例えば酸性水を貯溜する洗浄槽や酸性水を噴出するシャワー室などとして形成されるものであり、酸性水を用いて器具の消毒殺菌、飼育担当作業者の靴の消毒殺菌を行なうことができるようにしたものである。このように酸性水を各種の消毒殺菌に用いる場合には、次亜塩素酸の濃度が５０〜６０ｐｐｍ程度になるように希釈するなどして使用するのが好ましい。酸性水使用部１１で消毒殺菌に使用された酸性水は、導出水路２１を通じて上記と同様に酸性水貯溜槽１０に送られる。
【００３４】
ここで、上記のように電解槽３の陰極室６で生成されたアルカリ性水を飼育水槽１に添加してｐＨ調整するにあたって、飼育水槽１内の海水のｐＨが低い時にはｐＨ調整は不要であるので、飼育水槽１内の海水のｐＨが上昇したときにのみアルカリ性水を添加するようにするのが望ましい。例えば、飼育水槽１に餌を投入して給餌すると、給餌してから所定時間後に飼育魚介類の排泄が盛んになると共に水浄化装置２でのアンモニア硝化反応が盛んになって、飼育水槽１内の海水のｐＨが上昇する。従って、給餌から所定時間後のタイミングでアルカリ性水を飼育水槽１に添加するようにすれば、効果的なｐＨ調整を行なうことができる。このように飼育水槽１の魚介類に給餌するタイミングに合わせてアルカリ性水を飼育水槽１に添加するようにするには、添加水路９に設けた制御弁２３と、制御弁２３を開閉制御する制御部３０とでアルカリ水添加制御装置１２を形成し、給餌の所定時間後に制御弁２３を所定時間開くように制御部３０で制御することによって行なうことができる。給餌は決められた一定の時刻に行なわれるので、この給餌時刻に合わせたタイミングで制御弁２３を開くように制御部３０をプログラミングしておくことによって、自動的にアルカリ性水を飼育水槽１に添加水路９から添加してｐＨ調整を行なうことができるものである。
【００３５】
図４（ａ）（ｂ）は給餌とアルカリ性水添加のタイミングを示すタイムチャートであり、アルカリ性水添加をＯＮ、アルカリ性水添加の停止をＯＦＦで表示している。そして図４（ａ）は魚介類としてエビを飼育する際の給餌とアルカリ性水添加のタイミングを示すタイムチャートであり、給餌時刻から１時間後にアルカリ性水を１時間添加するように、制御部３０で制御弁２３を制御することによって、飼育水槽１の海水のｐＨ調整を効果的に行なうことができる。また図４（ｂ）は魚介類として魚を飼育する際の給餌とアルカリ性水添加のタイミングを示すタイムチャートであり、給餌時刻から５時間後にアルカリ性水を３時間添加するように、制御部３０で制御弁２３を制御することによって、飼育水槽１の海水のｐＨ調整を効果的に行なうことができる。このように電解槽３からアルカリ性水を飼育水槽１に添加するのは、エビを飼育する場合には３時間おきに１時間、魚を飼育する場合には７時間おきに３時間でよいので、複数の飼育水槽１を設備して魚介類の飼育を行なう際には、各飼育水槽１においてアルカリ性水を添加する時間をずらすことによって、複数の飼育水槽１で一つの電解槽３を共用することが可能になり、設備コストを低減することができるものである。
【００３６】
また、飼育水槽１内の海水のｐＨの変動に応じて電解槽３からアルカリ性水を添加することによって、ｐＨを所定の一定範囲に調整することができ、飼育水槽１内を魚介類に適したｐＨ環境に保つことができるものである。すなわち、図１に示すように、飼育水槽１にｐＨ測定装置１３を設け、このｐＨ測定装置１３をアルカリ水添加制御装置１２の制御部３０に電気的に接続してある。そして、ｐＨ測定装置１３によって測定される飼育水槽１内の海水のｐＨが所定値より低くなると、制御弁２３を開くと共に、飼育水槽１内の海水のｐＨが所定値より高くなると、制御弁２３を閉じるように、制御部３０をプログラミングしてある。従って、飼育水槽１内の海水のｐＨに応じて電解槽３から添加水路９を通して飼育水槽１にアルカリ性水を添加したり、添加を停止したりする制御を行なうことができ、飼育水槽１内の海水のｐＨを所定の一定範囲に調整することができるものである。
【００３７】
上記のように電解槽３で海水を電気分解することによって陽極室８に生成される酸性水を殺菌水として用いる場合、高濃度の次亜塩素酸が含まれているように酸性水を高濃度で生成させる必要のあることがある。そこで図１に示すように、水浄化装置２から電解槽３に海水を供給する給水路１５に設けた制御弁３１と、制御弁２３の開口量を制御する制御部３２とで流量制御装置１４を形成し、水浄化装置２から電解槽３に供給される海水の時間当たりの流量を制御することによって、電解槽３の陽極室８で生成される酸性水の濃度を制御することができるようにしてある。すなわち、水浄化装置２から電解槽３に供給される海水の流量を少なくすることによって、単位量当たりの海水に対する電解密度を高めることができ、高濃度の酸性水を生成させることができるものである。
【００３８】
上記の図２の実施の形態では、電解槽３に陰極室６と陽極室８を複数ずつ交互に形成し、給水路１５を分岐して陰極室６と陽極室８の総てに接続するようにしてあり、陰極室６を通過する海水の流量と陽極室８を通過する海水の流量が同時に流量制御装置１４によって制御されるようになっている。
【００３９】
一方、図５（ａ）の実施の形態では、給水路１５をまず陰極室用流路３４と陽極室用流路３５の二系統に分岐し、陰極用流路３４をさらに分岐して各陰極室６に、陽極室用流路３５をさらに分岐して各陽極室８に接続するようにしてあり、制御弁３１として、陰極用流路３４に陰極用制御弁３６が、陽極室用流路３５に陽極用制御弁３７がそれぞれ設けてある。これらの陰極用制御弁３６と陽極用制御弁３７に制御部３２を電気的に接続して流量制御装置１４を形成し、制御部３２で陰極用制御弁３６と陽極用制御弁３７を個別に制御できるようにしてある。そして高濃度の酸性水を生成させる必要があるときには、陽極用制御弁３７の開口量が小さくなるように陽極用制御弁３７を制御し、陽極室８に供給される海水の流量を少なくすることによって、陽極室８で生成される次亜塩素酸の量に対して海水の量が少なくなるので、陽極室８で生成される酸性水の濃度を高くすることができる。このとき、陰極用制御弁３６につていは開口量を変化させないようにすれば、陽極室８で生成される酸性水の濃度を高くしても、陰極室６で生成されるアルカリ性水の濃度は一定に保つことができる。逆に、陰極用制御弁３６の開口量を制御して陰極室６に供給する海水の流量を制御することによって、陰極室６で生成されるアルカリの量に対して海水の量を変化させることができるので、陰極室６で生成されるアルカリ性水の濃度を変化させることができるものであり、陰極室６で生成されるアルカリ性水と陽極室８で生成される酸性水の濃度を個別に調整することができるものである。
【００４０】
図５（ｂ）の実施の形態は、各陰極室６の出口に一括して接続される添加水路９に陰極用制御弁３６を設けると共に、各陽極室８に一括して接続される導出水路２１に陽極用制御弁３７を設け、これらの陰極用制御弁３６と陽極用制御弁３７に制御部３２を電気的に接続して流量制御装置１４を形成し、制御部３２で陰極用制御弁３６と陽極用制御弁３７を個別に制御できるようにしたものである。この実施の形態においても、陰極用制御弁３６と陽極用制御弁３７の開口量を個別に制御することによって、陰極室６から出る水量や陽極室８から出る水量を調整して、陰極室６を通過する海水の流量や陰極室８を通過する海水の流量を個別に調整することができるものであり、上記と同様に、陰極室６で生成されるアルカリ性水と陽極室８で生成される酸性水の濃度を個別に調整することができるものである。図５（ａ）（ｂ）においては、図示はしていないが、給電装置１６よって陰極５にマイナス電位を印加すると共に陽極７にプラス電位を印加するようにしてある。
【００４１】
また、上記のように給電装置１６によって陰極５にマイナス電位を印加すると共に陽極７にプラス電位を印加することによって、電解槽３で海水を電気分解することができるが、陰極５の表面にスケールなどが析出して付着すると、陰極５の表面の電気抵抗が大きくなって、電気分解の効率が低下する。そこで、所定時間ごとに、給電装置１６による陰極５と陽極７への給電電位を切り換えることができるようにしてある。このように陰極５と陽極７への給電電位を逆転して、陰極５にプラス電位を、陽極７にマイナス電位を印加することによって、陰極５の表面からスケールなどの付着物を剥離することができ、電気分解の効率を高く維持することができるものである。
【００４２】
上記のように陰極５と陽極７への給電電位を切り換えるにあたって、例えば陰極５と陽極７への給電電位を一週間ごとに逆転して、運転を行なうようにすることができる。この場合、陰極５と陽極７への給電電位の逆転に対応して、添加水路９と導出水路２１とを切り換える三方弁（不図示）などの水路切り換え手段を設け、生成された酸性水が酸性水使用部１１へと供給され、また生成されたアルカリ性水が飼育水槽１に添加されるようにする必要がある。このように陰極５と陽極７への給電電位を所定期間ごとに逆転することによって、電極を長期に亘って使用することが可能になるものである。
【図面の簡単な説明】
【００４３】
【図１】本発明の実施の形態の一例を示す概略図である。
【図２】同上の電解槽を示す概略断面図である。
【図３】同上の酸性水貯溜槽の概略断面図である。
【図４】（ａ），（ｂ）はそれぞれ給餌とアルカリ性水添加のタイミングのタイムチャートである。
【図５】本発明の他の実施の形態を示すものであり、（ａ），（ｂ）はそれぞれ電解槽の概略断面図である。
【符号の説明】
【００４４】
１  飼育水槽
２  水浄化装置
３  電解槽
４  隔膜
５  陰極
６  陰極室
７  陽極
８  陽極室
９  添加水路
１０  酸性水貯溜槽
１１  酸性水使用部
１２  アルカリ水添加制御装置
１３  ｐＨ測定装置
１４  流量制御装置
１５  給水路
１６  給電装置
【図１】
2005245326.tif 000003
【図２】
2005245326.tif 000004
【図３】
2005245326.tif 000005
【図４】
2005245326.tif 000006
【図５】
2005245326.tif 000007